(57)【要約】【課題】凹部の開口縁部において表皮材への溝線の発生を抑制した車両用内装部材を提供する。【解決手段】基材５１と、基材５１に形成された凹部５４を埋めるように凹部５４内に収容される板状のクッション材５２と、クッション材５２に当接しつつ凹部５４を覆う表皮材５３と、を備える車両用内装部材であって、凹部５４の開口縁部の少なくとも一部に、凹部５４の底面５４ａに向かい傾斜する傾斜部５５を設け、クッション材５２の傾斜部５５側の端部表面が、表皮材５３から離間している構成とする。【選択図】図３
2019151267.tif 000002
【特許請求の範囲】
【請求項１】
基材と、
該基材に形成された凹部を埋めるように当該凹部内に収容される板状のクッション材と、
前記クッション材に当接しつつ前記凹部を覆う表皮材と、を備える車両用内装部材であって、
前記凹部の開口縁部の少なくとも一部に、前記凹部の底面に向かい傾斜する傾斜部が設けられ、
前記クッション材の前記傾斜部側の端部表面は、前記表皮材から離間している
ことを特徴とする車両用内装部材。
【請求項２】
請求項１に記載の車両用内装部材であって、
前記クッション材の前記傾斜部側の端部表面と前記表皮材との距離は、前記傾斜部から離れるにつれて連続的に小さくなっている
ことを特徴とする車両用内装部材。
【請求項３】
請求項１又は２に記載の車両用内装部材であって、
前記凹部の底面には、前記傾斜部が設けられた前記凹部の側壁とは間隔を空けて配置され、前記凹部の開口方向に向かい突出する凸条部が設けられている
ことを特徴とする車両用内装部材。
【請求項４】
請求項３に記載の車両用内装部材であって、
前記凸条部の前記傾斜部が設けられた前記凹部の側壁側は、前記凹部の側壁に向かうにつれて前記凹部の底面側へ傾斜している
ことを特徴とする車両用内装部材。
【請求項５】
請求項３又は４に記載の車両用内装部材であって、
前記凸条部の表面形状が、前記凹部の底面の表面形状に沿った形状となっている
ことを特徴とする車両用内装部材。
【発明の詳細な説明】
【技術分野】
【０００１】
本発明は、車室内に設置される車両用内装部材に関し、具体的には、基材と、基材の凹部に収容される板状のクッション材と、凹部を覆って設けられる表皮材とを備える車両用内装部材の構造に関する。
【背景技術】
【０００２】
一般的に、自動車等の車両（車室内）には、例えば、フロアコンソール等の各種の内装部材が設置されている。また、このような内装部材の表面には、例えば、意匠性を高めることを目的とした装飾用の内装部材が設けられているものがある。具体例としては、車両の中央部に設置されているフロントコンソール（フロアコンソール）の車幅方向の両端部には、装飾用の内装部材としてのコンソールガーニッシュが装着されているものがある（例えば、特許文献１参照）。
【先行技術文献】
【特許文献】
【０００３】
【特許文献１】特開２０１１−２３５７９７号公報
【発明の概要】
【発明が解決しようとする課題】
【０００４】
例えば、上記コンソールガーニッシュのように、乗員が接触する位置に設置されている内装部材に対しては、クッション性を高めることが望まれる場合がある。そこで、内装部材には、基材と、基材の凹部に収容される板状のクッション材と、凹部を覆って設けられる表皮材とを備えているものがある。
【０００５】
このように内装部材が、板状のクッション材を備えていることで、クッション性を高めることができる。例えば、コンソールガーニッシュに膝が当たった時の痛みを軽減することができる。
【０００６】
しかしながら、このような構造とすることで内装部材の意匠性が損なわれる場合がある。具体的には、クッション材が収容された凹部の開口縁部において、この凹部を覆って設けられている表皮材に、溝線が形成されてしまう場合がある。
【０００７】
本発明は、このような事情に鑑みてなされたものであり、凹部の開口縁部において表皮材への溝線の発生を抑制した車両用内装部材を提供することを目的とする。
【課題を解決するための手段】
【０００８】
上記課題を解決する本発明の一つの態様は、基材と、該基材に形成された凹部を埋めるように当該凹部内に収容される板状のクッション材と、前記クッション材に当接しつつ前記凹部を覆う表皮材と、を備える車両用内装部材であって、前記凹部の開口縁部の少なくとも一部に、前記凹部の底面に向かい傾斜する傾斜部が設けられ、前記クッション材の前記傾斜部側の端部表面は、前記表皮材から離間していることを特徴とする車両用内装部材にある。
【０００９】
ここで、前記クッション材の前記傾斜部側の端部表面と前記表皮材との距離は、前記傾斜部から離れるにつれて連続的に小さくなっていることが好ましい。
【００１０】
また前記凹部の底面には、前記傾斜部が設けられた前記凹部の側壁とは間隔を空けて配置され、前記凹部の開口方向に向かい突出する凸条部が設けられていることが好ましい。
【００１１】
さらに前記凸条部の前記傾斜部が設けられた前記凹部の側壁側は、前記凹部の側壁に向かうにつれて前記凹部の底面側へ傾斜していることが好ましい。
【００１２】
また前記凸条部の表面形状が、前記凹部の底面の表面形状に沿った形状となっていることが好ましい。
【発明の効果】
【００１３】
かかる本発明の車両用内装部材によれば、基材と、基材の凹部内に収容された板状のクッション材と、クッション材に当接しつつ凹部を覆う表皮材とを備える構成において、凹部の開口縁部で表皮材に溝線が発生するのを抑制することができる。したがって、車両用内装部材のクッション性を高めることができ、車両用内装部材の意匠性も向上することができる。
【図面の簡単な説明】
【００１４】
【図１】車室内に設置されるセンターコンソールの概略構成を示す斜視図である。
【図２】ガーニッシュアウターの概略構成を示す分解斜視図である。
【図３】コンソールガーニッシュの縦断面図である。
【図４】コンソールガーニッシュの要部を示す拡大断面図である。
【図５】コンソールガーニッシュの変形例を示す拡大断面図である。
【発明を実施するための形態】
【００１５】
以下、本発明の実施形態について図面を参照して詳細に説明する。
【００１６】
本発明は、車室内に設置される内装部材の表面に装着される装飾用の内装部材（車両用内装御部材）の構造に関する。本実施形態では、内装部材であるセンターコンソールの表面に装着されるコンソールガーニッシュを一例として、本発明の車両用内装御部材（装飾用の内装部材）について詳細に説明する。
【００１７】
図１は、車室内に設置されたセンターコンソールの概略構成を示す斜視図である。図２は、本実施形態に係るコンソールガーニッシュを構成するガーニッシュアウターの概略構成を示す分解斜視図である。図３は、本実施形態に係るコンソールガーニッシュの縦断面図である。図４は、図３の要部を示す拡大断面図であり、本実施形態に係るガーニッシュアウターの空間部及び間隙部を示す図である。
【００１８】
図１に示すように、自動車等の車両の室内（車室内）の前方側には、様々な操作スイッチや表示装置等が取付けられたインストルメントパネル１０が設けられている。また車幅方向中央部の床面には、内装部材であるセンターコンソール（フロアコンソール）２０がインストルメントパネル１０から連続して設けられている。図示は省略するが、このセンターコンソール２０の両側部には、乗員が着座するシート（運手席及び助手席）がそれぞれ設けられている。
【００１９】
センターコンソール２０の表面には、例えば、意匠性を高めることを目的とした車両用内装部材である一対のコンソールガーニッシュ３０が装着されている。これらのコンソールガーニッシュ３０は、具体的には、センターコンソール２０の車幅方向の両端部、言い換えればセンターコンソール２０の上面と車幅方向の両側面との角部にそれぞれ設けられており、その表面は車幅方向で湾曲形状となっている。なお本実施形態では、これら一対のコンソールガーニッシュ３０は、センターコンソール２０に固定されると共に、インストルメントパネル１０にも固定されている。
【００２０】
またコンソールガーニッシュ３０は、内側（センターコンソール２０側）に配置される樹脂材料からなるガーニッシュインナー４０と、ガーニッシュインナー４０の車幅方向外側に配置されるガーニッシュアウター５０とで構成されている。
【００２１】
図２及び図３に示すように、ガーニッシュアウター５０は、基材５１と、板状のクッション材５２と、表皮材５３とで構成されている。基材５１は、例えば、ＡＢＳ等の樹脂材料によって形成されており、その表面には、クッション材５２が配置される所定深さの凹部５４が設けられている。
【００２２】
板状のクッション材５２は、例えば、発砲ウレタン等からなり、基材５１に設けられた凹部５４を埋めるように凹部５４内に収容されている。すなわち板状のクッション材５２は、凹部５４と略同一の大きさ（面積）で形成されている。また板状のクッション材５２は、凹部５４の深さと略同一の厚さを有している。
【００２３】
本実施形態では、凹部５４は５ｍｍ程度の略均一な深さで形成されており、板状のクッション材５２は、それに合わせて５ｍｍ程度の略均一な厚さを有している。この板状のクッション材５２は、凹部５４の底面（底壁）５４ａに接着剤等によって固定されている。これにより、クッション材５２の表面形状（凹部５４の開口側の形状）は、凹部５４の底面５４ａに沿った形状となる。
【００２４】
表皮材５３は、例えば、ポリ塩化ビニル（ＰＶＣ）等の樹脂材料で形成された厚さが１ｍｍ程度のシート状の部材である。表皮材５３は、クッション材５２が収容された凹部５４を、クッション材５２と当接するように覆って設けられ、凹部５４の外側で基材５１に固定されている。すなわち、この表皮材５３は、基材５１の外表面を覆って設けられており、その外周部が基材５１の内表面側に巻き込まれた状態で、例えば、接着剤等によって基材５１に固定されている。これにより、凹部５４を覆う表皮材５３の大部分がクッション材５２に当接した状態となる。
【００２５】
このように、コンソールガーニッシュ３０を構成するガーニッシュアウター５０は、基材５１と、クッション材５２と、表皮材５３と、で構成され、クッション性の向上が図られている。したがって、例えば、シートに着座した乗員の膝が、コンソールガーニッシュ３０に接触した場合でも、膝の痛みを軽減することができる。
【００２６】
ここで、図４の拡大図に示すように、基材５１に設けられた凹部５４の開口縁部の一部には、凹部５４の底面５４ａに向かい傾斜する傾斜部５５が設けられている。その結果、凹部５４の開口縁部のうち傾斜部５５が設けられている部分には、板状のクッション材５２の端面と、基材５１との間に空間部６０が連続的に存在している。本実施形態では、凹部５４の開口縁部のうち、乗員（の膝）が接触しやすい部分、すなわちガーニッシュアウター５０の湾曲する外周面の頂上部５６（図２参照）よりも、車幅方向の外側の部分に傾斜部５５が設けられている。
【００２７】
詳しくは、凹部５４の開口縁部のうち乗員が接触しやすい部分は、基材５１の表面と凹部５４の側壁との角部が、安全性などを考慮して所定半径以上のＲ形状に形成されて凹部５４の底面５４ａに向かい傾斜する傾斜部５５となっている。その結果、板状のクッション材５２の端面と基材５１との間には空間部６０が形成されている。
【００２８】
そして、板状のクッション材５２の傾斜部５５側の端部表面と表皮材５３との間には、この空間部６０に繋がる間隙部７０が形成されている。すなわち板状のクッション材５２の傾斜部５５側の端部表面は、表皮材５３から離間している。そして本発明は、このように板状のクッション材５２の表面が表皮材５３から離間している構造に特徴がある。
【００２９】
詳しくは、凹部５４の底面５４ａには、凸条部８０が設けられている。この凸条部８０は、傾斜部５５が設けられた凹部５４の側壁５４ｂ）とは所定間隔を空けて配置され、本実施形態では、側壁５４ｂに沿って延設されている（図２，図４参照）。クッション材５２は、この凸条部８０が形成された凹部５４内に固定されており、凸条部８０に対応する部分は、凹部５４の外側に若干突出した状態となっている。
【００３０】
このため、クッション材５２の傾斜部５５側の端部の表面（表皮材５３と対向する面）は、傾斜部５５に向かうにつれて表皮材５３から離間する。したがって表皮材５３は、クッション材５２の傾斜部５５側の端部表面に接触することなく、凹部５４の外側で基材５１に固定される。その結果、クッション材５２の傾斜部５５側の端部表面と表皮材５３との間には、空間部６０に繋がる間隙部７０が形成される。
【００３１】
このとき、クッション材５２の傾斜部５５側の端部表面と表皮材５３との距離は、傾斜部５５から離れるにつれて連続的に小さくなっていることが好ましい。換言すれば、間隙部７０の高さは、空間部６０から離れるほど徐々に低くなっていることが好ましい。
【００３２】
このようにすることで、クッション材５２の凸条部８０に対応する部分が凹部５４の外側に若干突出した状態となっていても、表皮材５３の表面の形状を大きく崩すことがなく、コンソールガーニッシュ３０の意匠性の低下を抑制することができる。
【００３３】
また本実施形態では、凸条部８０の側壁５４ｂ側の端面８０ａを、側壁５４ｂに向かうにつれて底面５４ａ側へ傾斜させている。すなわち凸条部８０の側壁５４ｂ側の端部の厚さが、側壁５４ｂに向かうにつれて徐々に薄くなるようにしている。これにより、間隙部７０の高さを、確実に空間部６０から離れるほど徐々に低くすることができる。また間隙部７０の高さの変化が緩やかになる。したがって、コンソールガーニッシュ３０の意匠性の低下をより確実に抑制することができる。
【００３４】
また、凸条部８０の表面形状は、本実施形態では、基材５１の表面形状に沿った形状（湾曲形状）となっている。これにより、凹部５４の外側に突出したクッション材５２が、コンソールガーニッシュ３０の意匠性を低下させることを抑制することができる。
【００３５】
ここで、間隙部７０の高さは、特に限定されないが、比較的低いことが好ましい。間隙部７０が大きくなり過ぎるとコンソールガーニッシュ３０の意匠性が低下してしまう虞がある。この間隙部７０の大きさ（高さ含む）は、凸条部８０の大きさ（高さ含む）、形状、配置等や、表皮材５３、クッション材５２の材質によって変化する。したがって、凸条部８０の大きさ、形状、配置等は、特に限定されないものの、間隙部７０が所望の高さ（大きさ）となるように適宜設定されている。
【００３６】
例えば、本実施形態では、凸条部８０と凹部５４の側壁５４ｂとの間隔ｄ１を３ｍｍ程度、凸条部８０の高さｈ１を０．５ｍｍ程度、凸条部８０の幅ｗ１を５ｍｍ程度としている。
【００３７】
また間隙部７０は、凹部５４の開口縁部のうち傾斜部５５（空間部６０）が設けられた部分に存在している。すなわち凸条部８０は、傾斜部５５が形成された部分に対応して設けられている。本実施形態では、凸条部８０は、車両の下方側の側壁５４ｂに対応する部分に連続的に設けられ、さらに、車両の前方側の側壁５４ｂの一部（頂上部５６よりも車幅方向の外側）に対応する部分に連続的に設けられている（図２参照）。
【００３８】
その結果、間隙部７０は、傾斜部５５が形成されている部分に亘って連続して存在している。つまりクッション材５２の傾斜部５５側の端部表面は、傾斜部５５が形成されている部分に亘って表皮材５３から離間している。
【００３９】
これにより、コンソールガーニッシュ３０の意匠性の低下を抑制することができる。
【００４０】
傾斜部５５が設けられているものの間隙部７０が存在しない場合、クッション材５２の端部に沿って（傾斜部５５に沿って）、表皮材５３に溝線が発生しコンソールガーニッシュの意匠性が損なわれてしまうことがある。つまりコンソールガーニッシュ３０の表面に線状の溝が形成されてしまう虞がある。
【００４１】
これに対し、凹部５４の開口縁部に傾斜部５５が設けられ、クッション材５２の傾斜部５５側の端部表面が表皮材５３から離間している場合、このような溝線の発生を抑えることができる。本実施形態のようにクッション材５２が比較的厚いと、表皮材５３に溝線が特に発生しやすいが、このような構成の場合でもクッション材５２の傾斜部５５側の端部表面が表皮材５３から離間していることで、溝線の発生を効果的に抑制することができる。
【００４２】
以上、本発明の一実施形態について説明したが、本発明は、上述の実施形態に限定されるものではない。本発明は、その趣旨を逸脱しない範囲で適宜変更が可能なものである。
【００４３】
例えば、上述の実施形態では、側壁５４ｂに沿って凸条部８０を連続的に設けるようにしたが、傾斜部５５に対応する部分のクッション材５２の端部表面を表皮材５３から離間させることができれば、凸条部８０は断続的に設けられていてもよい。
【００４４】
また例えば、上述の実施形態では、凸条部８０を設けることで、クッション材５２の傾斜部５５側の端部表面が表皮材５３から離間するようにしたが、クッション材５２の端部表面を表皮材５３から離間させる方法は特に限定されるものではない。例えば、板状のクッション材５２の一部の厚さを薄くすることでクッション材５２の端部表面を表皮材５３から離間させて間隙部７０を形成してもよい。このような構成としても、表皮材５３への溝線の発生は抑制することができる。
【００４５】
ただし、クッション材５２は、大きなシート状のクッション材から切り出して形成するのが一般的であり、クッション材５２の一部の厚さを薄くすることは手間がかかる。このため、上述のように凸条部８０を設けることでクッション材５２の端部表面を表皮材５３から離間させることが好ましい。
【００４６】
また、例えば、図５に示すように、凹部５４の底面５４ａの側壁５４ｂ側を窪ませた窪み部５４ｃを設けることで、クッション材５２を表皮材５３から離間させて間隙部７０を形成しても良い。
【００４７】
また上述の実施形態では、傾斜部５５が凹部５４の開口縁部の一部に設けられた構成を例示したが、勿論、傾斜部５５は凹部５４の開口縁部に全周に亘って設けられていてもよい。
【００４８】
また上述の実施形態では、コンソールガーニッシュ３０を車両用内装部材の一例として本発明を説明したが、本発明は、車両の内装部材の表面に装着されるあらゆる装飾用の内装部材（車両用内装部材）に適用することができる。
【符号の説明】
【００４９】
１０  インストルメントパネル
２０  センターコンソール
３０  コンソールガーニッシュ（車両用内装御部材）
４０  ガーニッシュインナー
５０  ガーニッシュアウター
５１  基材
５２  クッション材
５３  表皮材
５４  凹部
５４ａ  底面
５４ｂ  側壁
５４ｃ  窪み部
５５  傾斜部
５６  頂上部
６０  空間部
７０  間隙部
８０  凸条部
【図１】
2019151267.tif 000003
【図２】
2019151267.tif 000004
【図３】
2019151267.tif 000005
【図４】
2019151267.tif 000006
【図５】
2019151267.tif 000007